(57)【要約】  【課題】  電灯線通信装置と電気機器とは有線にて接続する必要があり、電気機器が無線インターフェースを有していても使用できず、又、電気機器が無線等のインターフェース以外を有していない場合、電灯線通信による制御ができないという課題を有していた。  【解決手段】  電灯線を通信線として通信する電灯線通信モジュールと、電気機器が有する無線インターフェースモジュールを備えた電灯線通信装置により、無線等のインターフェースを有する電気機器と電灯線通信装置との通信を新たなインターフェースを必要とすることなく可能となる。【選択図】  図１  
2005348012.tif 000002
【特許請求の範囲】
【請求項１】
電気機器に専用に用い前記電気機器の制御を無線で行う送信部を有する無線通信モジュールと、前記電気機器の制御を行う制御信号を電灯線を介して電灯線通信を行う電灯線通信モジュールとを備えた電灯線通信装置。
【請求項２】
無線通信モジュールは電灯線通信モジュールから送信された電灯線通信仕様の制御信号を無線信号に変換する第１の信号変換手段を備える請求項１記載の電灯線通信装置。
【請求項３】
無線通信モジュールは電気機器から送信される信号を受信する受信部を有する請求項１から２のいずれかに記載の電灯線通信装置。
【請求項４】
無線通信モジュールは受信部で受信した信号を電灯線通信仕様の制御信号に変換する第２の信号変換手段を備える請求項３記載の電灯線通信装置。
【請求項５】
無線通信モジュールの送信部は赤外線を送信する請求項１から４のいずれかに記載の電灯線通信装置。
【請求項６】
電気機器に専用に用い前記電気機器の制御を無線で行う送信部を有するリモコンモジュールと、前記電気機器の制御を行う制御信号を電灯線を介して電灯線通信を行う電灯線通信モジュールとを備えた電灯線通信装置。
【請求項７】
リモコンモジュールは電源コードを有し、前記電源コードを介して通信モジュールと電灯線通信を行う請求項６記載の電灯線通信装置。
【請求項８】
リモコンモジュールは通信モジュールから送信された電灯線通信仕様の制御信号を無線信号に変換する第１の信号変換手段を備える請求項６または７記載の電灯線通信装置。
【請求項９】
リモコンモジュールは電気機器から送信される信号を受信する受信部を有する請求項６から８のいずれかに記載の電灯線通信装置。
【請求項１０】
リモコンモジュールは受信部で受信した信号を電灯線通信仕様の制御信号に変換する第２の信号変換手段を備える請求項９記載の電灯線通信装置。
【請求項１１】
リモコンモジュールの送信部は赤外線を送信する請求項６から１０のいずれかに記載の電灯線通信装置。
【請求項１２】
リモコンモジュールは電気機器の制御を行う入力スイッチを有する請求項６から１１のいずれかに記載の電灯線通信装置。
【請求項１３】
制御信号は少なくとも電気機器をオンオフさせる信号を含む請求項１から１２のいずれかに記載の電灯線通信装置。
【発明の詳細な説明】
【技術分野】
【０００１】
本発明は電灯線を通信線として使用して機器制御等のための通信を行う電灯線通信装置に関するものである。
【背景技術】
【０００２】
近年、電灯線通信システムは、新たな通信線が不要で省施工である点が注目されさらにブロッキングフィルタの設置による宅外への情報等の漏洩防止が容易に可能である点、多くの特徴を有し実用化が要望されている。
【０００３】
図５は従来の電灯線通信システムを示しており、１は電気機器３やントローラ４からの信号をスペクトラム拡散方式の信号形態に変調して電灯線を流れる搬送波に信号として重畳し、また、電灯線搬送波に重畳された信号をフィルタで取り出し復調する電灯線通信モジュール、３は制御対象の電気機器、４は複数の電気機器を制御するコントローラ、８は電気機器と電灯線通信モジュール１が通信するためのインターフェース回路である。
【０００４】
以上のように構成された電灯線通信システムについて、その動作を説明する。
【０００５】
コントローラ４より電気機器３を制御しようとした場合、コントローラ４から送信された制御信号は、２つの電灯線通信モジュール１で電灯線を介して通信され、さらにインターフェース回路を介して専用の信号線にて電気機器に向け通信を行う。電気機器は制御信号により処理を実施する。
【０００６】
又、従来技術としては、特許文献１に示すような、リモコンとホームサーバ、及び被制御機器から構成し、リモコンは、認証ＩＤをホームサーバへデータとして送信するリモコンおよびそれを用いたシステムが既に提案されている。
【特許文献１】特開２００３−３０９８８２号公報（図１）
【発明の開示】
【発明が解決しようとする課題】
【０００７】
しかし、上記従来の電灯線通信システムはは電灯線通信専用のシステムであ、コントローラと電気機器とは有線にて接続されている。、従って、電気機器が特別省電力無線やブルートゥース等の無線インターフェースを有していても使用できず、又、電気機器が無線等のインターフェース以外を有していない場合、電灯線通信による制御ができないという課題を有していた。
【０００８】
本発明は、電気機器に無線インターフェースを有している場合、電灯線通信により通信する信号を電気機器が有する無線インターフェースを使用して電気機器と通信する電灯線通信システムを提供することを目的とする。
【課題を解決するための手段】
【０００９】
本発明の電灯線通信装置は、上記課題を解決するために、電灯線を通信線として通信する電灯線通信モジュールと、電気機器が有する無線インターフェースモジュールを備えている。そして、この構成により、無線等のインターフェースを有する電気機器と電灯線通信モジュールとの通信を新たなインターフェースを必要とすることなく可能となる。
【発明の効果】
【００１０】
以上のように、本発明は電灯線通信により通信する信号を電気機器が有する既存の無線等のインターフェースを使用して通信することにより、新たな配線をすることなく電灯線通信の制御信号を制御対象機に通信することができる。
【発明を実施するための最良の形態】
【００１１】
以下、本発明を実施するための最良の形態について、図１から図３を用いて説明する。
【００１２】
（実施の形態１）
図１において、１は電灯線通信モジュール、２は無線通信モジュール、３は電気機器、４は複数の電気機器等を制御するコントローラ、５は電灯線通信モジュール１と無線通信モジュール２又はリモコンを含む本発明の電灯線通信装置を示す。電灯線通信モジュール自体の基本的な役割は背景技術と同様である。
【００１３】
以上のように構成された電灯線通信装置について、その動作を説明する。
【００１４】
コントローラ４より電気機器３に対してＯＮ／ＯＦＦや設定の変更等の制御をしようとした場合、コントローラ４から送信された制御データは、電灯線通信モジュール１でスペクトラム拡散方式の信号形態に変調され、電灯線に高周波の電灯線信号として重畳される。この電灯線信号は、電灯線を介して通信され、電灯線通信装置５に内蔵する電灯線通信モジュール１に入力される。
【００１５】
電灯線通信装置５に内蔵する電灯線通信モジュール１は、入力した電灯線信号を制御データに復調し、無線通信モジュール２に入力する。無線通信モジュール２は入力した制御データを、スペクトラム拡散方式から例えば特別省電力無線方式やブルートゥースの信号形式に変調し、無線信号として電気機器に向けアンテナ等の無線送信手段により送信する。電気機器３はアンテナ等の無線受信手段により無線信号を受信し制御データに復調して、コントローラ４から要求された処理を実施する。
【００１６】
この、スペクトラム拡散方式から特定省電力無線方式、あるいは、ブルートゥース方式に変換するためには、例えば、コントローラ４からの命令信号をスペクトラム拡散方式に変調したデータを、他の電気機器３側に設けた電灯線通信モジュール１において、コントローラ４の命令信号の形式に復調し、それを改めて無線通信モジュール２を支配する、例えば、特定省電力無線あるいはブルートゥース通信形式のデータに変調する。
【００１７】
そして、その信号を無線通信モジュールに対し送信することで実現できる。なお、スペクトラム拡散方式の信号をコントローラ４の命令信号形態にデコードするプログラムとそのプログラムを無線の通信方式に変調するためのプログラムを電灯線通信モジュール１のＣＰＵに予め格納しておくことで実現可能である。
【００１８】
以上のように、本実施の形態によれば、電灯線通信による制御信号を電灯線通信モジュール１で受信し、無線通信モジュール２により無線信号に変換することにより、電気機器が有する無線インターフェースを利用して制御することができる。そのため、電灯線通信装置と電気機器の間の通信を新たな通信線を必要とせず、又、隣室等で無線通信の通信不可能な通信を電灯線による通信で実施することも可能となる。
【００１９】
（実施の形態２）
本実施の形態において実施の形態１と同様の箇所については同一の符号を付して詳細な説明を省略する。実施の形態１と異なるのは、本発明の電灯線通信装置５を２台使用し、コントローラ４の通信を無線により実施した点である。
【００２０】
本実施の形態によればコントローラ４の通信を無線通信にする事により、取り扱いが容易となる。
【００２１】
（実施の形態３）
本実施の形態において実施の形態１、２と同様の箇所については同一の符号を付して詳細な説明を省略する。図３において、６は電気機器を制御する既存のリモコンを示す。実施の形態２と異なるのは、制御信号を送信するのをコントローラ４ではなく、電気機器を制御する既存のリモコン６により実施した点である。
【００２２】
以上のように構成された電灯線通信装置について、その動作を説明する。
【００２３】
一般に、リモコン６による電気機器３の制御は、ＯＮ／ＯＦＦや設定の変更等の制御データを無線信号により通信し行うが、位置関係等により無線信号が届かず、リモコンによる制御が不可能な場合が考えられ、その場合、本実施形態により制御可能となる。リモコン６から送信された無線信号は、無線通信モジュール２で受信され、制御データに復調される。
無線通信モジュール２は、復調した制御データを電灯線通信モジュール１へ入力し、電灯線通信モジュール１は、制御データを変調し、高周波の電灯線信号として電灯線に出力する。この電灯線信号を実施の形態１に説明した動作と同様の方法により、電気機器３はリモコンより要求された処理を実施する。
なお、無線通信モジュールからリモコンで使用される赤外線に重畳される信号形式への変換は既知の変換プログラムを無線通信モジュールに格納しておき実行することで実現できる。
【００２４】
本実施の形態によれば電気機器既存のリモコンの信号を電灯線通信信号に変換し、電灯線通信を行うことにより、隣室等でリモコンの通信不可能な通信を電灯線による通信で、コントローラ４を使用しなくても実施することが可能となる。
【００２５】
（実施の形態４）
本実施の形態において実施の形態１同様の箇所については同一の符号を付して詳細な説明を省略する。図４において、７は無線通信モジュール２に単独で制御信号を送信できるリモコン機能を加えたリモコンモジュールを示す。実施の形態１と異なるのは、単独で制御信号を送信できるリモコン機能を加えたリモコンモジュール７により電気機器に対して無線通信を行う点である。
【００２６】
以上のように構成された電灯線通信装置について、その動作を説明する。
【００２７】
リモコンモジュール７は、電灯線より電灯線通信モジュール１を介して受信した制御信号を無線信号に変換すると共に単独で電気機器を制御するリモコン機能を有する。又、リモコンモジュール７を取り外せる機構とすれば、単独でリモコンとしても使用可能となる。
【００２８】
本実施の形態によれば電気機器の制御信号を電灯線通信信号に変換し、電灯線通信を行うことにより、隣室等でリモコンの通信不可能な通信を電灯線による通信で実施することが可能となると共に、単独でのリモコン操作が可能となる。
【００２９】
なお、実施の形態１〜４において無線通信とは、赤外線通信、特定小電力無線、無線LAN、Bluetooth等いかなる無線通信でもかまわない。
【産業上の利用可能性】
【００３０】
本発明の電灯線通信装置は、電灯線通信信号を電気機器が有する既存の無線インターフェースに変換し、省施工な電灯線通信の施工をさらに容易にすることができる電灯線通信として産業上有用である。
【図面の簡単な説明】
【００３１】
【図１】本発明の電灯線通信装置の実施の形態１におけるブロック図
【図２】本発明の電灯線通信装置の実施の形態２におけるブロック図
【図３】本発明の電灯線通信装置の実施の形態３におけるブロック図
【図４】本発明の電灯線通信装置の実施の形態４におけるブロック図
【図５】従来の電灯線通信装置のブロック図
【符号の説明】
【００３２】
１  電灯線通信モジュール
２  無線通信モジュール
３  電気機器
４  コントローラ
５  電灯線通信装置
６  電気機器を制御する既存のリモコン
７  リモコンモジュール
８  インターフェース回路
【図１】
2005348012.tif 000003
【図２】
2005348012.tif 000004
【図３】
2005348012.tif 000005
【図４】
2005348012.tif 000006
【図５】
2005348012.tif 000007